(57)【特許請求の範囲】
【請求項１】
排水トラップに設けられるヘアキャッチャーであって、
ヘアキャッチャー本体と、該ヘアキャッチャー本体に対して着脱可能に取り付けられる毛髪除去部材とを備え、
前記ヘアキャッチャー本体に前記毛髪除去部材を取り付けた状態で、
排水中の毛髪の流出を抑止しながら排水を流出させる下部排水流出部を下部に有し、流入した排水を一時的に保水しながら該排水を前記下部排水流出部から流出させる凹状の一時保水部と、
前記一時保水部の上部から延出し、排水中の毛髪の流出を抑止しながら前記一時保水部に入りきらない排水を流出させる上部排水流出部と、
洗い場からの排水を前記一時保水部へ導く排水導入部とが少なくとも構成され、
前記ヘアキャッチャー本体で少なくとも前記一時保水部及び前記上部排水流出部が構成され、
前記毛髪除去部材は、前記一時保水部の内面に対して着脱可能に取り付けられ、該一時保水部から取り外す操作により該一時保水部内に残存する毛髪を除去可能とされていることを特徴とするヘアキャッチャー。
【発明の詳細な説明】
【技術分野】
【０００１】
本発明は、排水トラップに設けられるヘアキャッチャーに関する。
【背景技術】
【０００２】
浴室の排水トラップには、毛髪を主とするごみ等の異物を排水中から捕集するヘアキャッチャーが着脱可能に設けられている。また、ヘアキャッチャー外で発生させた渦流をヘアキャッチャー内に導入して異物をまとめるようにすることも行われている。
【０００３】
特許文献１には、漏斗型封水筒に設置する深型ヘアキャッチャー内に渦巻き水流を発生させる様に深型ヘアキャッチャーの外側に水向案内部を設けた排水口が記載されている。図１３の（ａ）は漏斗型封水筒９０２及び水向案内部９０３を断面視して同文献に記載された排水口を示す側面図であり、同図（ｂ）は水向案内部９１３を一体化したヘアキャッチャー９１１を示す側面図である。
同図（ａ）の排水口は、封水筒９０２に排水量調節部品９０４を取り付けて封水筒９０２の穴径を小さくすることにより、水向案内部９０３による右回転の渦巻き水流を封水筒９０２内、すなわち、ヘアキャッチャー９０１外で発生させている。これにより、ヘアキャッチャー９０１内に渦巻き水流が発生するとされている。同排水口は、洗い場からの排水がヘアキャッチャー９０１全体に流入し、全排水が排水量調節部品９０４を通って少しずつ流下することになる。
また、同図（ｂ）の排水口は、ヘアキャッチャー９１１の外側面に水向案内部９１３を一体形成あるいは着脱可能に形成している。同排水口も、水向案内部９１３による右回転の渦巻き水流をヘアキャッチャー９１１外で発生させ、この渦巻き水流をヘアキャッチャー９１１内に導入している。
ヘアキャッチャー９０１，９１１で捕集した毛髪等を捨てる際には、ヘアキャッチャー９０１，９１１全体を封水筒９０２から取り出して裏返す作業をすることになる。
【０００４】
特許文献２には、排水桝の立面に設けた吐水口から浴槽排水を吐出するようにした排水構造が記載されている。図１３（ｃ）は、同文献に記載された排水構造を示す斜視図である。この排水構造は、排水桝９２３の底面９２３ａの流入口９２４に対してヘアキャッチャー９２５が水平に取り付けられ、吐水口９２１からの浴槽排水の吐出方向が流入口９２４の中心を向いていない。このため、吐水口９２１から吐出された浴槽排水は、渦を描いて流入口９２４へ向かい、ヘアキャッチャー９２５を通過する。
ヘアキャッチャー９２５で捕集した毛髪等を捨てる際には、平板状のヘアキャッチャー９２５全体を流入口９２４から取り出して裏返す作業をすることになる。
【０００５】
特許文献３には、キッチンのシンクに設けられた排水トラップが記載されている。図１３（ｄ）は、同文献に記載された排水トラップ９３０を示す垂直断面図である。排水トラップ９３０は、水受椀部９３１ａや封水椀部９３１ｂや外周流路部９３１ｃを有するトラップ本体９３１、封水椀部９３１ｂ内に挿入された防臭筒９３２、水受椀部９３１ａ内に配置された網かご９３３、水受椀部９３１ａの上面開口を蓋う蓋体９３４、を備えている。外周流路部９３１ｃや防臭筒９３２や蓋体９３４には、封水椀部９３１ｂ内で一方向に回転する渦流が水流により発生するように排水を案内する排水案内手段が設けられている。シンクから排水トラップ９３０へ流れる排水は、封水椀部９３１ｂ内で渦流が発生するように蓋体９３４で案内され、網かご９３３を通過する。
網かご９３３で捕集した異物を捨てる際には、網かご９３３全体を水受椀部９３１ａから取り出して裏返す作業をすることになる。
【特許文献１】特開２００７−１９８１３０号公報
【特許文献２】特開２００７−４６４２４号公報
【特許文献３】特開２００７−１２００２１号公報
【発明の開示】
【発明が解決しようとする課題】
【０００６】
図１３（ａ）に示す排水口は、洗い場からの排水が全て排水量調節部品９０４を通過するため、排水能力が制限される。このため、同排水口は、浴槽から湯が溢れたとき等、一度に大量の排水が生じたときに十分に排出されないことがある。同図（ｂ）に示すヘアキャッチャー９１１を排水口に用いても、同様である。
また、同図（ａ）（ｂ）に示すヘアキャッチャー９０１，９１１は、外側に水向案内部９０３，９１３が設けられているため、封水筒９０２内で渦巻き水流を発生させるためには封水筒９０２の形状を水向案内部９０３，９１３の形状に合わせなければならない。さらに、洗い場からの全排水がヘアキャッチャー９０１，９１１全体に流入するため、ヘアキャッチャー全体に毛髪等が付着し、ヘアキャッチャーから毛髪等を除去し難かったり、ヘアキャッチャーが目詰まりしたりすることがある。
さらに、毛髪等を捨てるため、ヘアキャッチャー９０１，９１１全体を封水筒９０２から取り出して裏返す必要がある。
【０００７】
図１３（ｃ）に示す排水構造は、渦流を発生させるために浴槽排水が必要であり、かつ、浴槽排水を吐出する吐水口９２１を排水桝９２３に形成する必要がある。また、ヘアキャッチャー９２５が水平に配置され、排水がヘアキャッチャー９２５上で保水されず速やかにヘアキャッチャー９２５全体を通過するようにされているため、毛髪等がヘアキャッチャー全体に絡みつきやすい。このため、ヘアキャッチャーから毛髪等を除去し難かったり、ヘアキャッチャーが目詰まりしたりすることがある。
さらに、毛髪等を捨てるため、平板状のヘアキャッチャー９２５全体を流入口９２４から取り出して裏返す必要がある。
【０００８】
図１３（ｄ）に示す排水トラップ９３０は、浴室ではなくキッチンに設けられるため、ヘアキャッチャーではなく網かご９３３を用いている。また、排水が網かご９３３内で保水されず速やかに網かご９３３全体を通過するようにされているため、仮に毛髪等が流された場合には、その毛髪等が網かご全体に絡みつきやすい。このため、網かごから毛髪等を除去し難かったり、網かごが目詰まりしたりすることがある。
さらに、異物を捨てるため、網かご９３３全体を水受椀部９３１ａから取り出して裏返す必要がある。
【０００９】
本発明は、上記課題に鑑みてなされたもので、ヘアキャッチャーを設ける排水トラップに特別な構造を設ける必要が無く、捕集した毛髪等を容易に除去して捨てることができ、安定した排水能力を得ることが可能なヘアキャッチャーの提供を目的とする。
【課題を解決するための手段】
【００１０】
上記目的を達成するため、本発明は、排水トラップに設けられるヘアキャッチャーであって、ヘアキャッチャー本体と、該ヘアキャッチャー本体に対して着脱可能に取り付けられる毛髪除去部材とを備え、前記ヘアキャッチャー本体に前記毛髪除去部材を取り付けた状態で、排水中の毛髪の流出を抑止しながら排水を流出させる下部排水流出部を下部に有し、流入した排水を一時的に保水しながら該排水を前記下部排水流出部から流出させる凹状の一時保水部と、前記一時保水部の上部から延出し、排水中の毛髪の流出を抑止しながら前記一時保水部に入りきらない排水を流出させる上部排水流出部と、洗い場からの排水を前記一時保水部へ導く排水導入部とが少なくとも構成され、前記ヘアキャッチャー本体で少なくとも前記一時保水部及び前記上部排水流出部が構成され、前記毛髪除去部材は、前記一時保水部の内面に対して着脱可能に取り付けられ、該一時保水部から取り外す操作により該一時保水部内に残存する毛髪を除去可能とされていることを特徴とする。
【００１１】
すなわち、洗い場からの排水は、排水導入部により凹状の一時保水部へ導かれ、該一時保水部で一時的に保水されながら下部排水流出部から流出する。このとき、排水中の毛髪の流出が抑止される。また、一時保水部に入りきらない排水は、一時保水部の上部から延出した上部排水流出部から流出する。ここで、一時保水部に入りきらない排水は、単に上部排水流出部からオーバーフローする訳ではなく、毛髪の流出が抑止されながら上部排水流出部から流出する。
一時保水部内で一時的に溜まった排水の中では、毛髪等が浮遊して集まる。この一時保水部から排水が抜けると、毛髪等が集まった状態で一時保水部内に残存する。従って、捕集した毛髪等を容易に除去することができる性能、すなわち、良好な毛髪除去性を得ることができる。また、一時保水部に残存した毛髪等は、ヘアキャッチャー本体から毛髪除去部材を取り外す操作により除去可能である。すなわち、捕集した毛髪等を捨てるためにヘアキャッチャー全体を排水トラップから出す必要が無くなるので、毛髪等を捨てる作業が容易となる。
さらに、洗い場からの排水が一時保水部へ導かれるので、上部排水流出部の閉塞が抑止される。従って、安定した排水能力を得ることができる。
加えて、上述した良好な毛髪除去性及び安定した排水能力は、ヘアキャッチャー単独の構造のみで得られる。
【００１２】
上記ヘアキャッチャーには、毛髪以外の異物も捕集するものも含まれる。また、上記ヘアキャッチャーには、浴室の排水トラップに用いられるヘアキャッチャーの他、洗面化粧台の排水トラップに用いられるヘアキャッチャー、理容店や美容室の排水トラップに用いられるヘアキャッチャー、等も含まれる。
上記排水は、毛髪を含む水とする。従って、下部排水流出部や上部排水流出部は、毛髪を含む水が流出する部位を意味する。
排水中の毛髪の流出を抑止する上記下部排水流出部や上記上部排水流出部は、全ての毛髪を止めなくても良い。すなわち、抑止は、全てを止めることに限定されない。
上記一時保水部が排水を一時的に保水することは、一時保水部内で排水が流出しながらも一時的に排水が溜まった状態にさせることを意味する。従って、一時保水部内での排水の滞留時間は、有限の時間である。中で毛髪が浮遊しながら一時保水部内に存在する排水の状態は、一時保水部内に一時的に保水されている状態に含まれる。
上記凹状の一時保水部は排水を受けて一時的に保水する形状であればよく、該一時保水部の形状には椀状、半球状、上下逆の円錐状、上下逆の角錐状、等の形状が含まれる。また、これらの形状の底部に上方へ突出したり膨出したりした部位が設けられた形状の一時保水部も、上記凹状の一時保水部に含まれる。
【００１４】
上記排水導入部は、前記一時保水部内で一方向に回転する旋回流が発生するように洗い場からの排水を前記一時保水部へ導いてもよい。すると、排水の旋回流により一時保水部内で毛髪等がまとまるので、毛髪除去性が向上する。
上記旋回流は、一時保水部内に存在する排水が回転する流れをいい、一時保水部に流入した排水が下部排水流出部から流出するまでの回転数に制限は無い。また、旋回流の仮想の回転軸の向きは、鉛直方向でもよいし、水平方向でもよいし、鉛直方向や水平方向から斜めにずれた方向でもよい。
なお、上記ヘアキャッチャーを有する排水トラップの発明や、上記ヘアキャッチャーを有する浴室の発明も、上述した作用、効果を奏する。
【発明の効果】
【００１５】
請求項１に係る発明によれば、ヘアキャッチャーを設ける排水トラップに特別な構造を設ける必要が無く、良好な毛髪除去性及び安定した排水能力を得ることができ、容易に毛髪等を捨てることが可能なヘアキャッチャーを提供することができる。
【発明を実施するための最良の形態】
【００１６】
（１）第一の実施形態：
図１は本発明の第一の実施形態に係るヘアキャッチャー２を設けた浴室用の排水トラップ１を示す垂直断面図、図２は排水トラップ１の分解斜視図、図３はヘアキャッチャー本体１０の斜視図、図４（ａ）は毛髪除去部材８０の斜視図、図４（ｂ）は毛髪除去部材８０の側面図、図５はヘアキャッチャー２の平面図、図６（ａ）は毛髪除去部材８０を取り付けたヘアキャッチャー本体１０を図３のＡ１方向から見て示す側面図、図６（ｂ）（ｃ）は毛髪除去部材８０を取り付けたヘアキャッチャー本体１０を図３のＡ２−Ａ２の位置から見て示す垂直断面図である。
【００１７】
浴室は、図示しないシャワーや給湯栓等が設けられた洗い場Ｗ１が浴槽Ｂ１の外側に設けられ、この洗い場Ｗ１の床材１１０の一部が凹んで排水桝１１２が形成されている。この排水桝１１２は、下側の開口部に向かって略水平方向に内側へ延出したフランジ部１１３を有し、上側の開口部にカバー１２０を着脱することができるようにされている。排水トラップ１は、排水桝１１２に取り付けられ、カバー１２０と床材１１０との隙間ＣＬ１から排水桝１１２へ流入した排水を通過させる。本排水トラップ１は、カバー１２０、トラップ本体１３０、締め付けフランジ１４０、封水筒１５０、及びヘアキャッチャー２を備える。
排水桝１１２の四隅には、図２に示すように、ヘアキャッチャー２及びカバー１２０を載置するための洗い場側段部１１４ａ，１１４ａ及び浴槽側段部１１４ｂ，１１４ｂが形成されている。カバー１２０の浴槽側縁部１２０ａには、洗い場側へ凹んだ手かけ部１２２が形成されている。
【００１８】
図１に示すように、トラップ本体１３０は、上部が開口し、浴槽側の側壁１３０ａの下部に水平方向へ突出した接続口１３１が形成され、該接続口１３１に対向する側壁１３０ｂに水平方向へ突出した排出口１３２が形成されている。接続口１３１は、接続管を介して浴槽の防水パンに接続されている。トラップ本体１３０内では、側壁１３０ａ，１３０ｂの上縁部に封水面Ｓが形成され、この封水面Ｓの下側に封水筒１５０の下部が差し込まれる。また、トラップ本体１３０の上縁部には径方向内側へ延出したフランジ部１３３が形成され、このフランジ部１３３の内周面にねじ部１３３ａが形成されている。
【００１９】
締め付けフランジ１４０は、トラップ本体のねじ部１３３ａと螺合するねじ部１４１ａを外周面に有する円筒部１４１と、この円筒部１４１の上縁部で径方向外側へ延出した上側フランジ部１４２と、円筒部１４１の下縁部で径方向内側へ延出した下側フランジ部１４３とを備える略環状に形成されている。円筒部１４１の内周面には、９０°間隔で４箇所に上下２つの突起１４１ｂが形成されている。床材のフランジ部１１３の先端部にパッキン１４４を取り付け、このパッキン１４４をトラップ本体のフランジ部１３３とで挟むようにして該フランジ部１３３に締め付けフランジ１４０を螺入すると、床材のフランジ部１１３とトラップ本体１３０とを互いに固定することができる。
【００２０】
封水筒１５０は、筒状の本体部１５１と、この本体部１５１の上縁部から径方向外側へ延出したフランジ部１５２とを有する形状に形成されている。フランジ部１５２の外縁部には、９０°間隔で４箇所に切欠が形成されている。各切欠を締め付けフランジの突起１４１ｂに合わせて締め付けフランジ１４０の開口部に封水筒の本体部１５１を挿入し、封水筒のフランジ部１５２を締め付けフランジの下側フランジ部１４３に接触させて回転させることにより、トラップ本体１３０内の所定位置に封水筒１５０が固定される。ここで、封水筒１５０の下端とトラップ本体１３０の底面との間に隙間が設けられている。
【００２１】
ヘアキャッチャー２は、図２に示すように、ヘアキャッチャー本体１０と、該ヘアキャッチャー本体に対して着脱可能に取り付けられる毛髪除去部材８０とを備えている。ヘアキャッチャー２は、ヘアキャッチャー本体１０に毛髪除去部材８０を取り付けた状態で一時保水部２０と上部排水流出部３０と排水導入部４０が構成され、この状態で排水から毛髪等のごみを捕集する。本実施形態では、これらの各部２０，３０，４０がヘアキャッチャー本体１０で構成され、一時保水部２０の内面２０ａに対して毛髪除去部材８０が着脱可能に取り付けられるようになっている。
【００２２】
一時保水部２０は、上部が開口し下方へ凹んだ凹状に形成されている。本実施形態の一時保水部２０は、四隅に段部１１４を有する排水桝１１２の中で容積をできるだけ大きくするため、上下逆の四角錐の頂点及び稜線を丸くしたような形状としてある。この四角錐の頂点近傍となる一時保水部２０下部には、排水中の毛髪等の流出を抑止しながら排水を略下方へ流出させる水抜き孔２３が複数形成されている。これらの水抜き孔２３が設けられた一時保水部２０下部は、本発明にいう下部排水流出部２２となっている。排水を流出させる下部排水流出部２２が凹状の一時保水部２０の下部に存在することにより、一時保水部２０内で一時的に保水される排水に渦流が発生し易くなっている。
一方、一時保水部２０における下部排水流出部２２の周囲は、水抜き孔の無い壁部２１とされ、外側に向かって斜めに立ち上がっている。従って、一時保水部２０は、流入した排水を一時的に保水しながら該排水を下部排水流出部２２から流出させる。
【００２３】
毛髪除去部材８０は、一時保水部２０内に収容される本体部８２と、この本体部の上縁部８２ａから突出した把手８６とを有している。
【００２４】
本体部８２は、図４等に示すように、下部に設けられた複数の水抜き孔８３と、一時保水部の壁部２１に対応する位置に設けられた複数の開口８４とを有し、一時保水部の内面２０ａに合わせた形状に形成されている。各水抜き孔８３は、一時保水部における水抜き孔２３からの排水の流出を阻害しないように、一時保水部の各水抜き孔２３の位置に合わせて形成されている。毛髪除去部材の水抜き孔８３も、一時保水部の水抜き孔２３と略同一の大きさで形成されているため、毛髪の流出を抑止しながら排水を流出させる。各開口８４は、水抜き孔８３よりも大きい開口面積とされているが、本体部８２内でまとまって残存する毛髪等が通り抜けないようにされている。
【００２５】
ヘアキャッチャー本体１０に毛髪除去部材８０が取り付けられたときの把手８６は、図１に示すように、排水導入部４０の立壁部５０で囲まれた範囲内で本体部８２から斜め上方へ突出するようにされている。該把手８６は、立壁部５０に近づくように突出し、先端部８６ａが立壁部５０の上縁部よりも低くされている。従って、排水桝１１２にカバー１２０を取り付けるときに把手８６が邪魔にならない。この把手８６を手で持つことにより、ヘアキャッチャー本体１０から毛髪除去部材８０を取り外すことができ、一時保水部２０内に残存する毛髪を除去することができる。
【００２６】
ヘアキャッチャー本体１０に毛髪除去部材８０を取り付けたときの下部排水流出部２２の最大の排水流出流量Qd（リットル／分）は、排水中の毛髪が浮遊する程度に洗い場Ｗ１からの排水が一時保水部２０内で一時的に溜まる流量が好ましい。ここで、最大の排水流出流量Qdは、一時保水部２０内に排水が上縁部２１ａまで溜まっているように連続して排水を導入したときに下部排水流出部２２から流出する排水の流出流量とする。また、洗い場で使用するシャワーの平均吐水流量Qs（リットル／分）よりもQdを小さくすると、平均的な吐水流量で洗い場のシャワーを使用したときに洗い場の排水が一時保水部２０内で一時的に溜まるので好ましい。一方、一時保水部２０で一時的に保水される排水の滞留時間Ｔを数秒〜十数秒程度（例えば５〜１５秒）とするようにQdを設定すると、洗い場使用後速やかに一時保水部２０から排水が抜けて毛髪等を除去する作業を行うことができるので好ましい。
なお、上記排水流出流量Qdを大きくするには、水抜き孔２３，８３の開口面積を大きくしたり、水抜き孔２３，８３の数を多くしたりして、水抜き孔２３，８３の総開口面積（個々の水抜き孔の開口面積を総和した面積）を大きくすればよい。むろん、Qdを小さくするには、水抜き孔２３，８３の総開口面積を小さくすればよい。このようにして、下部排水流出部２２を所望の排水流出流量にすることができる。
【００２７】
上部排水流出部３０は、一時保水部２０の上部（上縁部２１ａ）から外側に向かって斜めに上がるように延出している。この上部排水流出部３０には、排水中の毛髪の流出を抑止しながら排水を流出させる孔３２が複数形成されている。上部排水流出部３０は一時保水部２０に入りきらない排水を流出させるため、上部排水流出部３０の最大の排水流出流量Qu（リットル／分）が下部排水流出部２２の最大排水流出流量Qd（リットル／分）よりも大きくなるようにしている。ここで、最大の排水流出流量Quは、排水が上部排水流出部３０の外縁部３０ａの最も低い位置まで溜まっているように連続して排水を導入したときに上部排水流出部３０から流出する排水の流出流量とする。むろん、Quを大きくするには孔３２の総開口面積を大きくすればよく、Quを小さくするには孔３２の総開口面積を小さくすればよい。このようにして、上部排水流出部３０を所望の排水流出流量にすることができる。
本実施形態の上部排水流出部３０は、排水桝１１２の中で容積をできるだけ大きくするため、一時保水部２０の上部よりも緩やかな傾斜で外側へ延出している。
【００２８】
排水導入部４０は、洗い場Ｗ１からの排水を上部排水流出部３０ではなく、一時保水部２０へ導く。本実施形態の排水導入部４０は、立壁部５０と傾斜部６０とフランジ部７０を有し、一時保水部２０内で左回り（一方向）に回転する旋回流が発生するように洗い場Ｗ１からの排水を直接、一時保水部２０内に導入する。なお、一時保水部内で旋回流が一方向に回転するとは、一時保水部内の旋回流が左回りのみであること、一時保水部内の旋回流が右回りのみであること等、一時保水部内の旋回流の回転方向が一つであることを意味するものとする。
立壁部５０は、洗い場Ｗ１からの排水を通す流入口５６を洗い場Ｗ１側に設け浴槽側を離間させて上部排水流出部３０の外側に配置された第一の分割立壁部５２及び第二の分割立壁部５４から構成されている。洗い場Ｗ１からの排水の多くは洗い場Ｗ１側から排水桝１１２に流入するので、ヘアキャッチャー２上の流入口５６は洗い場Ｗ１からの排水の多くが流れ込む位置に設けられていることになる。両分割立壁部５２，５４は、上部排水流出部３０を囲むように上部排水流出部３０の外縁部３０ａから上方へ延出している。立壁部５０があることにより、毛髪等を含む洗い場Ｗ１側からの排水が直接上部排水流出部３０に入らないようになっており、毛髪等による上部排水流出部３０の目詰まりを抑止することができる。
【００２９】
傾斜部６０は、流入口５６を通って立壁部５０の外側から一時保水部壁部２１の内周面に沿う方向に向かって、すなわち、一時保水部２０内において仮想の水平面ＨＰ１に投影された下部排水流出部２２の平面図形の重心ＣＥ１から水平方向へずれた位置に向かって下がっている。
ここで、ヘアキャッチャー２を仮想の水平面ＨＰ１に投影した平面図形は図４の平面図に相当し、下部排水流出部２２の平面図形（水抜き孔２３に相当する部分も含まれる）は同図の２２で表される二点鎖線で囲まれた図形に相当する。この平面図形は、水抜き孔２３に相当する部分を含むものとする。下部排水流出部２２の平面図形の重心ＣＥ１は、幾何学やシミュレーションで求めることができ、単位面積当たりの重量が均一な板を水抜き孔２３の無い下部排水流出部２２の形状に切り取って釣り合う点、すなわち、質量中心を探す試験を行うことによっても求めることができる。
仮想の水平面に投影された下部排水流出部の平面図形の重心ＣＥ１から水平方向へずれた位置に向かうとは、図４に示す傾斜部６０の排水の流れ方向Ｄ１３のように、ヘアキャッチャー２を上から見たときに重心ＣＥ１を通らない方向に向かうことを意味するものとする。
また、排水の流れ方向Ｄ１３の向きは傾斜部６０において最も傾斜した向きであり、この向きが傾斜部６０の下がる向きであるものとする。本実施形態の傾斜部６０が下がる向きは、排水が流れていく方向に見たときに下部排水流出部２２から右側とされている。
【００３０】
フランジ部７０は、上部排水流出部の外縁部３０ａから外方へ延出し、立壁部５０の外側で洗い場Ｗ１からの排水を受けて傾斜部６０へ案内する。本実施形態のフランジ部７０は、主に第一の分割立壁部５２の外側となる第一の領域７２と、主に第二の分割立壁部５４の外側となる第二の領域７４と、これらの領域７２，７４の境界部分で一段上がって洗い場側段部１１４ａ，１１４ａに載置される隅部７６，７７とに区分することができる。第一の領域７２と第二の領域７４は、浴槽側を離間させ、ともに流入口５６へ繋がっている。第一の領域７２は、右回りに少しずつ下がり、一時保水部２０内の旋回流の回転方向Ｄ１とほぼ同じ回転方向へ排水を案内する。第二の領域７４は、洗い場側に向かって少しずつ下がり、浴槽側から流入口５６へ排水を案内する。隅部７６，７７は、第一の領域７２上を流れる排水を右回りに誘導したり、第二の領域７４上を流れてきた排水を流入口５６へ誘導したりする機能も有する。
【００３１】
なお、カバー１２０を取り外す際に手かけ部１２２に手を掛け易くするため、ヘアキャッチャー２は、浴槽側に立壁部５０が設けられていない領域があり、上部排水流出部３０の浴槽側縁部３０ｂがヘアキャッチャー自体の浴槽側縁部に繋がった形状とされている。ここで、洗い場Ｗ１からの排水の多くは洗い場Ｗ１側から排水桝１１２に流入するので、フランジ部７０上から傾斜部６０を経由して一時保水部２０に流入する排水に比べてヘアキャッチャー２の浴槽側縁部から上部排水流出部３０へ直接流入する排水は少ない。
以上より、排水導入部４０は、フランジ部７０により洗い場Ｗ１からの排水を主に傾斜部６０へ案内し、該排水を立壁部５０の外側から傾斜部６０に沿って仮想の水平面に投影された下部排水流出部の平面図形の重心ＣＥ１（以下、下部排水流出部の重心ＣＥ１と記載）から水平方向へずれた位置に向けて一時保水部２０へ導く。
【００３２】
なお、ヘアキャッチャー本体１０及び毛髪除去部材８０は、熱可塑性樹脂といった樹脂材料、ステンレスといった金属材料、これらの組み合わせ、等、種々の材質とすることができ、樹脂材料や金属材料の成形品等を用いることができる。
本ヘアキャッチャー２を設けた排水トラップ１は、例えば、床材フランジ部１１３の先端部にパッキン１４４を取り付け、トラップ本体のフランジ部１３３に締め付けフランジ１４０を螺入して床材フランジ部１１３とトラップ本体１３０とを互いに固定し、封水筒１５０を締め付けフランジ１４０に取り付け、ヘアキャッチャー本体１０を排水桝段部１１４に載置し、該ヘアキャッチャー本体１０に毛髪除去部材８０を取り付け、ヘアキャッチャー本体１０の隅部にカバー１２０を載置することにより、形成される。
【００３３】
次に、本ヘアキャッチャー２の作用、効果を説明する。毛髪除去部材８０は、ヘアキャッチャー本体１０に取り付けてあるものとする。
洗い場Ｗ１で生じた排水は、カバー１２０の周囲から排水桝１１２に流入し、主にヘアキャッチャーフランジ部７０上へ流下する。ここで、図５の左側にある隅部７６に流下した排水は第一の領域７２へ流れ、同図の右側にある隅部７７に流下した排水は領域７２，７４の下流部から速やかに傾斜部６０へ流れる。第一の領域７２上の排水は、第一の分割立壁部５２に沿って左回りに案内された後、傾斜部６０へ流れる。第二の領域７４上の排水は、第二の分割立壁部５４に沿って洗い場Ｗ１側へ案内された後、傾斜部６０へ流れる。ここで、図５に示す排水の流れ方向Ｄ１３に沿った傾斜部６０の傾斜が排水の流れ方向Ｄ１１，Ｄ１２に沿った領域７２，７４の傾斜よりも大きいので、傾斜部６０に流入した排水は一時保水部２０内に向かって速度を上げる。このため、少ない排水量でも効果的に旋回流を発生させることができる。また、第二の領域７４上の排水は一時保水部内の旋回流の回転方向Ｄ１と逆方向から案内されるが、傾斜部６０で該旋回流を減衰させにくい方向へ向きが変えられる。
【００３４】
傾斜部６０を流下した排水は、下部排水流出部２２の重心ＣＥ１から水平方向へずれた位置に向かって凹状の一時保水部２０に流入し、該一時保水部２０で一時的に保水されながら左回りに旋回し、下部排水流出部２２から下方へ流出する。排水が一時保水部壁部２１の内周面に沿う方向へ流入するので、旋回流は下部排水流出部２２を通り鉛直に向いた仮想の回転軸ＡＸ１を中心とするような渦流となる。一時保水部２０内で一時的に溜まった排水の渦流の中で、図６（ｂ）に示すように毛髪Ｈ１等の異物が浮遊しながら旋回して集まり、下部排水流出部２２からの毛髪Ｈ１等の流出が抑止される。むろん、下部排水流出部２２から毛髪Ｈ１等が流出しようとしても、複数の水抜き孔２３，８３を形成した下部排水流出部２２及び毛髪除去部材本体部８２に引っ掛かることにより毛髪Ｈ１等の流出が抑止される。
【００３５】
また、下部排水流出部２２の排水流出流量を超える排水が一時保水部２０に流入すると、排水は、一時保水部２０に入りきらず上縁部２１ａを超え、上部排水流出部３０から流出する。図６（ｂ）は、排水が上縁部２１ａを超えて位置Ｌ１にまで上昇していることを示している。このとき、下部排水流出部２２から流出した排水が封水面Ｓまで流れ方向Ｄ１４へ落下するとともに、上部排水流出部３０から流出した排水が封水面Ｓまで流れ方向Ｄ１５へ落下する。ここで、一時保水部２０内の排水中の毛髪等は集まって浮遊し旋回しているため、上部排水流出部の孔３２から流出しようとする毛髪等は少ない。また、上部排水流出部３０から毛髪Ｈ１等が流出しようとしても、複数の孔３２が形成された上部排水流出部３０に引っ掛かることにより毛髪Ｈ１等の流出が抑止される。従って、上部排水流出部３０は、従来のヘアキャッチャーに設けられたオーバーフロー用の開口部のように毛髪等が流出してしまう開口部とは異なる。
【００３６】
一時保水部２０に排水が流入しなくなると、毛髪Ｈ１等が浮遊して集まった排水が下部排水流出部２２から流出し、図６（ｃ）に示すように毛髪Ｈ１等がまとまった状態で一時保水部２０内に残存する。捕集した毛髪等を捨てる際には、排水桝１１２からカバー１２０を取り外した後に把手８６を手で持って毛髪除去部材８０をヘアキャッチャー本体１０から取り外して裏返す作業をすればよい。毛髪Ｈ１等がまとまった状態で一時保水部２０内に存在するので、毛髪除去部材８０を取り外す操作により毛髪Ｈ１等が一時保水部２０内から除去され、上下逆にされた一時保水部２０から毛髪等が容易に落下する。
図１３（ｃ）に示した従来例のように排水が速やかにヘアキャッチャーを通過するようにされていると毛髪等がヘアキャッチャーに絡みついて毛髪等を除去し難くなるが、本ヘアキャッチャー２は、排水が徐々に下部排水流出部２２を通過するので、良好な毛髪除去性を得ることができ、清掃し易い。
【００３７】
また、図１３（ａ）〜（ｃ）に示した従来例では毛髪等を捨てるためにヘアキャッチャー全体を排水トラップから取り出して裏返す必要があるが、本ヘアキャッチャー２は、ヘアキャッチャー全体を排水トラップから取り出す必要が無い。すなわち、ヘアキャッチャー本体１０から毛髪除去部材８０を取り外して一時保水部２０内から毛髪Ｈ１等を除去し、この毛髪除去部材８０を裏返して毛髪Ｈ１等を捨てることができるので、毛髪等を捨てる作業が容易となる。
【００３８】
さらに、図１３（ａ）〜（ｃ）に示した従来例のように洗い場からの全排水が一度にヘアキャッチャー全体を通過すると毛髪等がヘアキャッチャー全体に付着して目詰まりし易くなるが、本ヘアキャッチャー２は、上部排水流出部３０に直接排水が流れ込まないので、上部排水流出部３０の閉塞を抑止して安定した排水能力を得ることができる。
加えて、図１３（ａ）〜（ｃ）に示した従来例では封水筒や排水桝等を特別な構造にすることより渦流を発生させる必要があるが、本ヘアキャッチャー２は、上述した良好な毛髪除去性及び安定した排水能力をヘアキャッチャー単独の構造のみで得ることができる。特に、図１３（ａ）（ｂ）に示した従来例では洗い場からの排水が全て排水量調節部品９０４を通過することにより排水能力が制限されるが、本ヘアキャッチャー２によると、封水筒の排水能力を制限する必要が無いので、安定した排水能力が得られる。また、図１３（ｃ）に示した従来例では渦流を発生させるために浴槽排水が必要であるが、本ヘアキャッチャー２は、浴槽排水を用いず洗い場シャワー等の洗い場からの排水だけで良好な毛髪除去性を得ることができる。
従って、本ヘアキャッチャー２によると、ヘアキャッチャーを設ける排水トラップに特別な構造を設ける必要が無く、良好な毛髪除去性及び良好な清掃性並びに安定した排水能力を得ることができ、容易に毛髪等を捨てることが可能となる。むろん、これらの性能は、既存の排水トラップからヘアキャッチャーのみを交換することにより得られることになる。従って、排水トラップを安価にすることが可能になる。
【００３９】
なお、洗い場から流入する排水が少ないときには一時保水部２０内で旋回流が生じないこともあるが、この場合でも一時保水部２０内で一時的に溜まった排水の中で毛髪等が浮遊して集まり、下部排水流出部２２からの毛髪等の流出が抑止される。むろん、流入する排水が一時保水部２０に一時的に保水されない程度に少ないときであっても、複数の水抜き孔２３を形成した下部排水流出部２２により毛髪等の流出が抑止され、下部排水流出部２２から排水が徐々に流出するので毛髪等の絡みつきによる毛髪除去性の低下が抑止される。
【００４０】
本実施形態のヘアキャッチャー本体１０は、上述した一時保水部２０と上部排水流出部３０と排水導入部４０を備えているので、毛髪除去部材８０が取り付けられていなくても良好な毛髪除去性及び良好な清掃性並びに安定した排水能力を得ることができる。従って、毛髪等を捨てる作業を行う人の好みに応じてヘアキャッチャー本体１０に毛髪除去部材８０を取り付ける使用方法と取り付けない使用方法とを選択することができる。
【００４１】
（２）参考例としての第二の実施形態：
図７は参考例としての第二の実施形態に係るヘアキャッチャー２０２を設けた浴室用の排水トラップ１を示す垂直断面図、図８はヘアキャッチャー２０２を分解して示す側面図、図９はヘアキャッチャー２０２の平面図、図１０（ａ）は毛髪除去部材２８０を取り付けたヘアキャッチャー本体２１０を図３のＡ１に相当する方向から見て示す側面図、図１０（ｂ）（ｃ）は毛髪除去部材２８０を取り付けたヘアキャッチャー本体２１０を図３のＡ２−Ａ２に相当する位置から見て示す垂直断面図である。ヘアキャッチャー２０２以外の排水トラップ２０１の構成は第一の実施形態と同じであるので、ヘアキャッチャー２０２以外の説明を省略する。
ヘアキャッチャー２０２は、ヘアキャッチャー本体２１０と、該ヘアキャッチャー本体に対して着脱可能に取り付けられる毛髪除去部材２８０とを備えている。ヘアキャッチャー２０２は、ヘアキャッチャー本体２１０に毛髪除去部材２８０を取り付けた状態で一時保水部２２０と上部排水流出部２３０と排水導入部２４０が構成され、この状態で排水から毛髪等のごみを捕集する。本実施形態では、一時保水部２２０を毛髪除去部材２８０で構成し、上部排水流出部２３０と排水導入部２４０をヘアキャッチャー本体２１０で構成している。
【００４２】
毛髪除去部材２８０は、ヘアキャッチャー本体２１０の下部に取り付けられる一時保水部２２０と、この一時保水部の上縁部２２１ａから突出した把手２８６とを有している。
【００４３】
一時保水部２２０は、可撓性の材料で上下逆の四角錐の頂点及び稜線を丸くしたような凹状に形成され、上縁部２２１ａ近傍の内面が鉛直面とされている。この四角錐の頂点近傍となる一時保水部２２０下部には、複数の水抜き孔２２３が形成され、排水中の毛髪等の流出を抑止しながら排水を略下方へ流出させる下部排水流出部２２２とされている。一時保水部２２０における下部排水流出部２２２の周囲は、水抜き孔の無い壁部２２１とされ、外側に向かって斜めに立ち上がり、上縁部２２１ａ近傍の鉛直面に繋がっている。上縁部２２１ａは、水平方向に外側へ若干延出し、ヘアキャッチャー本体２１０の下部フランジ部２３５に載置される。壁部２２１の外側面には、上縁部２２１ａから下部フランジ部２３５を挟む間隔を空けて下がった位置に複数の突起２８４が形成されている。
【００４４】
ヘアキャッチャー本体２１０の下部は、一時保水部２２０を取り付けるための開口２３４が設けられ、水平方向に内側へ若干延出した下部フランジ部２３５が形成されている。一時保水部２２０を上から開口２３４に入れると、複数の突起２８４が下部フランジ部２３５を乗り越え、ヘアキャッチャー本体２１０に毛髪除去部材２８０が取り付けられる。また、把手２８６を手で持って引き上げると、複数の突起２８４が下部フランジ部２３５を乗り越え、ヘアキャッチャー本体２１０から毛髪除去部材２８０が取り外される。
【００４５】
上部排水流出部２３０は、下部フランジ部２３５から外側に向かって斜めに上がるように延出し、毛髪の流出を抑止しながら排水を流出させる孔３２が複数形成されている。上部排水流出部２３０は一時保水部２２０に入りきらない排水を流出させるため、上部排水流出部２３０の最大排水流出流量Quが下部排水流出部２２２の最大排水流出流量Qdよりも大きくなるようにしている。
下部排水流出部２２２や上部排水流出部２３０の最大排水流出流量Qd，Quは、第一の実施形態と同様にして設定することができる。
【００４６】
排水導入部２４０は、第一の実施形態と同様の各部５０，６０，７０を有し、一時保水部２２０内で左回りに回転する旋回流が発生するように洗い場Ｗ１からの排水を直接、一時保水部２２０へ導く。
【００４７】
次に、本ヘアキャッチャー２０２の作用、効果を説明する。毛髪除去部材２８０は、ヘアキャッチャー本体２１０に取り付けてあるものとする。
洗い場Ｗ１から排水桝１１２内に流入した排水は、主にヘアキャッチャーフランジ部７０上へ流下し、流れ方向Ｄ２１，Ｄ２２へ案内され、傾斜部６０上で一時保水部２２０内に向かって速度を上げながら流れ方向Ｄ２３へ流れる。該排水は、仮想の水平面ＨＰ２に投影された下部排水流出部２２２の平面図形の重心ＣＥ２から水平方向へずれた位置に向かって凹状の一時保水部２２０に流入し、下部排水流出部２２２を通り鉛直に向いた仮想の回転軸ＡＸ２を中心とするような左回り（回転方向Ｄ２）の旋回流が生じ、下部排水流出部２２２から下方へ流出する。一時保水部２２０内で一時的に溜まった排水の渦流の中で、図１０（ｂ）に示すように毛髪Ｈ１等の異物が浮遊しながら旋回して集まり、下部排水流出部２２２からの毛髪Ｈ１等の流出が抑止される。また、下部排水流出部２２２の排水流出流量を超える排水が一時保水部２２０に流入すると、排水は、一時保水部２２０に入りきらず、毛髪Ｈ１等の流出が抑止されながら上部排水流出部２３０から流出する。図１０（ｂ）は、排水が上縁部２２１ａを超えて位置Ｌ２にまで上昇していることを示している。このとき、下部排水流出部２２２から流出した排水が流れ方向Ｄ２４へ落下するとともに、上部排水流出部２３０から流出した排水が流れ方向Ｄ２５へ落下する。一時保水部２２０内の排水中の毛髪等は集まって浮遊し旋回しているため、上部排水流出部の孔２３２から流出しようとする毛髪等は少ない。
【００４８】
一時保水部２２０に排水が流入しなくなると、毛髪Ｈ１等が浮遊して集まった排水が下部排水流出部２２２から流出し、図１０（ｃ）に示すように毛髪Ｈ１等がまとまった状態で一時保水部２２０内に残存する。捕集した毛髪等を捨てる際には、排水桝１１２からカバー１２０を取り外した後に把手２８６を手で持って毛髪除去部材２８０をヘアキャッチャー本体２１０から取り外して裏返す作業をすればよい。毛髪Ｈ１等がまとまった状態で一時保水部２２０内に存在するので、毛髪除去部材２８０を取り外す操作により毛髪Ｈ１等が排水トラップ２０１内から除去され、上下逆にされた一時保水部２２０から毛髪等が容易に落下する。
また、本ヘアキャッチャー２０２は、上部排水流出部２３０に直接排水が流れ込まない。
従って、本ヘアキャッチャー２０２によると、ヘアキャッチャーを設ける排水トラップに特別な構造を設ける必要が無く、良好な毛髪除去性及び良好な清掃性並びに安定した排水能力を得ることができ、容易に毛髪等を捨てることが可能となる。
【００４９】
（３）変形例：
本発明のヘアキャッチャーは、種々の変形例が考えられる。
洗い場及び浴槽に対するヘアキャッチャーの向きは、上述した実施形態に限定されず、例えば、鉛直に向いた仮想の回転軸ＡＸ１，ＡＸ２を中心として３６０°全ての向きに変更可能である。従って、洗い場からの排水を一時保水部へ通す流入口は、上述した実施形態のように洗い場側に配置される以外にも、浴槽側に配置されてもよいし、洗い場側と浴槽側との中間的な位置等に配置されてもよい。
洗い場からの排水を一時保水部へ通す流入口は、立壁部に設けられる隙間以外にも、これらの部位に設けられる開口等でもよい。
上記一時保水部は、半球状や、上下逆の円錐の頂点を丸くしたような凹状に形成してもよい。すると、一時保水部内で排水が旋回流になり易くなると考えられ、毛髪等をよりまとめて捨てやすくすることができると考えられる。
上記下部排水流出部や上記上部排水流出部は、複数の孔で形成する以外にも、繊維や針金等を編んで形成した網で構成したり、複数のスリットで形成したりすることが可能である。
上記上部排水流出部の外側に配置される立壁部は、鉛直方向に延出した形状以外にも、鉛直方向からずれた方向に延出した形状等でもよい。
【００５０】
上記排水導入部が一時保水部内に発生させる旋回流は、上述した実施形態とは逆の右回りでもよい。また、旋回流の回転軸ＡＸ１，ＡＸ２の向きは、鉛直方向から斜めにずれた方向でもよく、水平方向でもよい。
上記排水導入部が一時保水部内へ排水を導く方向は、一時保水部壁部の内周面に沿う方向以外とすることができる。例えば、排水を導く方向を下部排水流出部に向かう方向とすると、一時保水部内で水平に向いた回転軸を中心とするような旋回流が発生すると考えられる。この場合も、一時保水部内で毛髪等が浮遊しながら旋回して集まり、毛髪等がまとまった状態で一時保水部内に残存して、良好な毛髪除去性を得ることができると考えられる。
上記一時保水部が上下逆の角錐の形状、又は、上下逆の角錐の頂点及び稜線を丸くしたような形状である場合、上記排水導入部は一時保水部壁部の水平断面の辺に沿った方向へ洗い場からの排水を導いてもよい。
【００５１】
上記排水導入部が旋回流を発生させないように洗い場からの排水を一時保水部へ導く場合でも、一時保水部内で一時的に溜まった排水の中で毛髪等が浮遊して集まり、下部排水流出部から排水が抜け落ちたときに毛髪等が集まった状態で一時保水部内に残存する。従って、良好な毛髪除去性及び安定した排水能力を得る効果が得られる。
【００５２】
上記排水導入部が洗い場からの排水を一時保水部へ導けば本発明の基本的な効果が得られるので、上記フランジ部７０を有していないヘアキャッチャー等も、本発明の作用、効果を奏する。
【００５３】
上記毛髪除去部材及び上記ヘアキャッチャー本体は、様々な変形例が考えられる。
例えば、図１１（ａ）に示すヘアキャッチャー３０２のように、ヘアキャッチャー本体の水抜き孔２３よりも大きい開口３８３を本体部３８２の下部に形成した毛髪除去部材３８０をヘアキャッチャー本体１０に対して着脱可能に取り付けてもよい。毛髪除去部材３８０自体は排水中の毛髪の流出を抑止するように形成されていないものの、ヘアキャッチャー本体の下部排水流出部２２が排水中の毛髪の流出を抑止するので、一時保水部２０内に毛髪が残存する。そして、把手３８６を手で持って毛髪除去部材３８０をヘアキャッチャー本体１０から取り外すと、一時保水部２０内に残存した毛髪が除去される。
【００５４】
また、図１１（ｂ）に示すヘアキャッチャー３０３のように、毛髪除去部材の水抜き孔８３よりも大きい開口３２３を本体側一時保水部３２０の下部に形成したヘアキャッチャー本体３１０に対して毛髪除去部材８０を着脱可能に取り付けてもよい。本体側一時保水部３２０は排水中の毛髪の流出を抑止するように形成されていないものの、毛髪除去部材の複数の水抜き孔８３が排水中の毛髪の流出を抑止し、毛髪除去部材の本体部８２を取り付けた本体側一時保水部３２０に対して排水が一時的に保水される。すなわち、本変形例では、毛髪除去部材の本体部８２とヘアキャッチャー本体の本体側一時保水部３２０とが本発明にいう一時保水部となる。むろん、把手８６を手で持って毛髪除去部材８０をヘアキャッチャー本体３１０から取り外すと、排水トラップから毛髪が除去される。
【００５５】
さらに、図１１（ｃ）に示すヘアキャッチャー４０２のように、第二の実施形態の毛髪除去部材（２８０）から突起（２８４）を除いた毛髪除去部材４８０をヘアキャッチャー本体２１０に取り付けてもよい。毛髪除去部材４８０において水平方向に外側へ若干延出した上縁部２２１ａがヘアキャッチャー本体２１０の下部フランジ部２３５に載置されるので、ヘアキャッチャー本体２１０に対して毛髪除去部材４８０が着脱可能に取り付けられる。
【００５６】
さらに、上述した毛髪除去部材に上部排水流出部の一部を設け、残りの上部排水流出部をヘアキャッチャー本体で構成してもよい。むろん、毛髪除去部材に排水導入部の一部を設け、残りの排水導入部をヘアキャッチャー本体で構成してもよい。
また、本発明のヘアキャッチャーは、ヘアキャッチャー本体に毛髪除去部材を取り付けた状態で一時保水部と上部排水流出部と排水導入部が少なくとも構成されればよく、これらの各部以外の部分がさらに構成されてもよい。このような構成としては、ヘアキャッチャー本体を締め付けフランジや封水筒に取り付けるための構造等が考えられる。
【００５７】
また、図１２（ａ）に示すヘアキャッチャー５０２や同図（ｂ）に示すヘアキャッチャー６０２のように、一時保水部５２０，６２０の底に上方へ突出した凸部５２４，６２４が設けられてもよい。これらの一時保水部５２０，６２０は、凸部５２４，６２４の周囲に複数の水抜き孔５２３，６２３を有する下部排水流出部５２２，６２２が設けられている。同図（ａ）のヘアキャッチャー５０２は、毛髪除去部材５８０にも凸部５８４が設けられ、該凸部５８４の周囲に複数の水抜き孔５８３が形成されている。毛髪除去部材５８０は、凸部５２４，５８４を重ねてヘアキャッチャー本体５１０の一時保水部５２０の内面に対して着脱可能に取り付けられ、一時保水部５２０から取り外す操作により一時保水部５２０内に残存する毛髪を除去可能とされている。同図（ｂ）のヘアキャッチャー６０２は、凸部６２４を有する一時保水部６２０が毛髪除去部材６８０で構成され、ヘアキャッチャー本体２１０から毛髪除去部材６８０を取り外す操作により毛髪を除去可能とされている。これらの変形例でも、一時保水部内で一時的に溜まった排水の中で毛髪等が浮遊して集まり、毛髪等がまとまった状態で一時保水部内に残存して、良好な毛髪除去性及び安定した排水能力を得る効果が得られる。
さらに、一時保水部の底に設けられる凸部は、上方へ膨出した部位等でもよい。
【００５８】
なお、本発明を適用可能な洗い場は、浴室の洗い場以外にも、洗面化粧台の排水トラップに繋がる洗面台、理容店や美容室の排水トラップに繋がる洗面台、等でもよい。
また、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００５９】
【図１】第一の実施形態に係るヘアキャッチャーを設けた排水トラップを示す垂直断面図。
【図２】図１に示す排水トラップの分解斜視図。
【図３】図１に示すヘアキャッチャー本体の外観を示す斜視図。
【図４】図１に示す毛髪除去部材の斜視図及び側面図。
【図５】図１に示すヘアキャッチャーを上から見て示す平面図。
【図６】図１に示すヘアキャッチャーの側面図及び垂直断面図。
【図７】参考例としての第二の実施形態に係るヘアキャッチャーを設けた排水トラップを示す垂直断面図。
【図８】図７に示すヘアキャッチャーを分解して示す側面図。
【図９】図７に示すヘアキャッチャー本体を上から見て示す平面図。
【図１０】図７に示すヘアキャッチャーの側面図及び垂直断面図。
【図１１】変形例に係るヘアキャッチャーの垂直断面図。
【図１２】変形例に係るヘアキャッチャーの垂直断面図。
【図１３】排水トラップの従来例を示す図。
【符号の説明】
【００６０】
１，２０１…排水トラップ、
２，２０２，３０２，３０３，４０２，５０２，６０２…ヘアキャッチャー、
１０，２１０，３１０…ヘアキャッチャー本体、
２０，２２０…一時保水部、２０ａ…内面、
２１，２２１…壁部、２１ａ，２２１ａ…上縁部、
２２，２２２…下部排水流出部、２３，２２３…水抜き孔、
３０，２３０…上部排水流出部、
３２，２３２…孔、
４０，２４０…排水導入部、
５０…立壁部、
５２…第一の分割立壁部、５４…第二の分割立壁部、５６…流入口、
６０…傾斜部、
７０…フランジ部、７２…第一の領域、７４…第二の領域、７６，７７…隅部、
８０，２８０，３８０，４８０…毛髪除去部材、
８２…本体部、８２ａ…上縁部、８３…水抜き孔、８４…開口、
８６，２８６…把手、
１１０…床材、１１２…排水桝、１２０…カバー、
１３０…トラップ本体、１４０…締め付けフランジ、１５０…封水筒、
２３４…開口、２３５…下部フランジ部、
２８４…突起、
３２０…本体側一時保水部、３２３…開口、
３８３…開口、
ＡＸ１，ＡＸ２…仮想の回転軸、Ｂ１…浴槽、
Ｄ１，Ｄ２…旋回流の回転方向、Ｄ１１〜Ｄ１５，Ｄ２１〜Ｄ２５…排水の流れ方向、
Ｈ１…毛髪、Ｓ…封水面、Ｗ１…洗い場、
【図１】
0004837684.tif 000002
【図２】
0004837684.tif 000003
【図３】
0004837684.tif 000004
【図４】
0004837684.tif 000005
【図５】
0004837684.tif 000006
【図６】
0004837684.tif 000007
【図７】
0004837684.tif 000008
【図８】
0004837684.tif 000009
【図９】
0004837684.tif 000010
【図１０】
0004837684.tif 000011
【図１１】
0004837684.tif 000012
【図１２】
0004837684.tif 000013
【図１３】
0004837684.tif 000014